【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
治療計画の第１段階において、第１の顎のための器具のデジタルモデルの対応する複数のデジタルの歯を受ける複数のキャビティ上の位置に、複数のデジタルの咬合調整構造物を位置決めすることと、
第２の顎の歯と接触するように設計された治療計画の前記第１段階に特有の第１の形状および位置を有するように前記咬合調整構造物を設計することと、
前記治療計画の第２段階で、前記第１の顎のための前記器具の前記デジタルモデルの対応する複数のデジタルの歯を受ける前記複数のキャビティ上の前記複数のデジタルの咬合調整構造物の位置を変更することによって、前記咬合調整構造物を調整することと、
物理的器具の形成のための前記治療計画の前記第１段階および前記第２段階において、前記第１の顎のための前記器具に対応する物理モデルの製作のために前記第１の顎のための前記器具のデジタルモデルを出力することと、
を含む方法。
【請求項２】
前記第１の顎のための前記器具の前記デジタルモデルの対応する複数のデジタルの歯を受ける前記複数のキャビティ上の前記複数のデジタルの咬合調整構造物の形状を変更すること、
を含む請求項１に記載の方法。
【請求項３】
前記第１の顎のための前記器具の前記デジタルモデルの対応する複数のデジタルの歯を受ける前記複数のキャビティ上の前記複数のデジタルの咬合調整構造物の位置を変更すること、
を含む請求項１に記載の方法。
【請求項４】
前記第１の顎のための前記器具の前記デジタルモデルの対応する複数のデジタルの歯を受ける前記複数のキャビティ上の前記複数のデジタルの咬合調整構造物の方向を変更すること、
を含む請求項１に記載の方法。
【請求項５】
前記第１の顎のための前記器具の前記デジタルモデルの対応する複数のデジタルの歯を受ける前記複数のキャビティ上の前記複数のデジタルの咬合調整構造物のサイズを変更すること、
を含む請求項１に記載の方法。
【請求項６】
前記デジタルモデルの対応する複数のデジタルの歯を受ける前記複数のキャビティは、前歯用のデジタルの歯を受けるキャビティである、
請求項１に記載の方法。
【請求項７】
前記治療計画の前記第１段階の間に、対応する前記器具の１つを装着している使用者によって、前記複数の咬合調整構造物に加えられる力をモデル化することと、
前記治療計画の前記第１段階において、第１の顎のための対応する前記器具の１つに対応するデジタルモデルの形状を調整することにより、対応する前記器具の１つが前記使用者によって装着された状態における前記使用者の第１の顎の多数の後方歯に前記力を分配するようにする、
請求項６に記載の方法。
【請求項８】
前記位置決めすることは、前記治療計画の前記第１段階に応じた第１の距離だけ、対応する数の歯を位置変更するために用いられる第１の複数の力に基づく、
請求項１に記載の方法。
【請求項９】
前記調整することは、前記治療計画の前記第２段階に応じた第２の距離だけ、対応する数の歯を位置変更するために用いられる第２の数の力に基づく、
請求項８に記載の方法。
【請求項１０】
前記第１の形状は、第２の顎の切歯面を受けるように成形されたノッチを含む、
請求項１に記載の方法。
【請求項１１】
前記調整することは、前記治療計画の前記第１段階と前記治療計画の前記第２段階との間において、第１の顎のための前記器具の前記デジタルモデルへの変更に応じて行われる、
請求項１に記載の方法。
【請求項１２】
前記調整することは、深い咬合を補正するために前記段階の間の垂直方向の関係を調整することを含む、
請求項１に記載の方法。
【請求項１３】
前記咬合調整構造物を調整することは、犬歯誘導を調整することを含む、
請求項１に記載の方法。
【請求項１４】
前記咬合調整構造物を調整することは、前記臼歯および/または前歯の間に離開咬合を生じさせる、
請求項１に記載の方法。
【請求項１５】
前記位置を変更することは、対向する顎上の歯または対応する歯の侵入または突出の変化、および／または対向する顎上の歯または対応する歯の移動の変化に基づく、
請求項３に記載の方法。
【請求項１６】
治療計画の第１段階において、第１の顎のデジタルモデルの対応する複数のデジタルの歯上に、複数のデジタルの咬合調整構造物を位置決めすることと、
第２の顎の歯と接触するように設計された治療計画の前記第１段階に特有の第１の形状および位置を有するように前記咬合調整構造物を設計することと、
前記治療計画の第２段階で、前記第１の顎の前記デジタルモデルの対応する複数のデジタルの歯上の前記複数のデジタルの咬合調整構造物の位置を変更することによって、前記咬合調整構造物を調整することと、
器具の形成のための前記治療計画の前記第１段階および前記第２段階において、前記第１の顎に対応する物理モデルの製作のために前記第１の顎のデジタルモデルを出力することと、
を含む方法。
【請求項１７】
前記第１の顎の前記デジタルモデルの対応する複数のデジタルの歯上の前記複数のデジタルの咬合調整構造物の形状を変更すること、
を含む請求項１６に記載の方法。
【請求項１８】
前記第１の顎の前記デジタルモデルの対応する複数のデジタルの歯上の前記複数のデジタルの咬合調整構造物の位置を変更すること、
を含む請求項１６に記載の方法。
【請求項１９】
前記第１の顎の前記デジタルモデルの対応する複数のデジタルの歯上の前記複数のデジタルの咬合調整構造物の方向を変更すること、
を含む請求項１６に記載の方法。
【請求項２０】
前記第１の顎の前記デジタルモデルの対応する複数のデジタルの歯上の前記複数のデジタルの咬合調整構造物のサイズを変更すること、
を含む請求項１６に記載の方法。
【請求項２１】
前記デジタルモデルの対応する複数のデジタルの歯は、前記デジタルモデルのデジタルの前歯である、
請求項１６に記載の方法。
【請求項２２】
前記治療計画の前記第１段階の間に、対応する前記器具の１つを装着している使用者によって、前記複数の咬合調整構造物に加えられる力をモデル化することと、
前記治療計画の前記第１段階において、第１の顎のための前記デジタルモデルの形状を調整することにより、対応する前記器具の１つが前記使用者によって装着された状態における前記使用者の第１の顎の多数の後方歯に前記力を分配するようにする、
請求項２１に記載の方法。
【請求項２３】
前記位置決めすることは、前記治療計画の前記第１段階に応じた第１の距離だけ、デジタルの歯の対応する数を位置変更するために用いられる第１の複数の力に基づく、
請求項１６に記載の方法。
【請求項２４】
前記調整することは、前記治療計画の前記第２段階に応じた第２の距離だけ、デジタルの歯の対応する数を位置変更するために用いられる第２の数の力に基づく、
請求項２１に記載の方法。
【請求項２５】
前記第１の形状は、第２の顎の切歯面を受けるように成形されたノッチを含む、
請求項１６に記載の方法。
【請求項２６】
前記調整することは、前記治療計画の前記第１段階と前記治療計画の前記第２段階との間において、前記第１の顎の前記デジタルモデルへの変更に応じて行われる、
請求項１６に記載の方法。
【請求項２７】
前記調整することは、深い咬合を補正するために前記段階の間の垂直方向の関係を調整することを含む、
請求項１６に記載の方法。
【請求項２８】
前記咬合調整構造物を調整することは、犬歯誘導を調整することを含む、
請求項１６に記載の方法。
【請求項２９】
前記咬合調整構造物を調整することは、前記臼歯および/または前歯の間に離開咬合を生じさせる、
請求項１６に記載の方法。
【請求項３０】
前記位置を変更することは、対向する顎上の歯または対応する歯の侵入または突出の変化、および／または対向する顎上の歯または対応する歯の移動の変化に基づく、
請求項１８に記載の方法。